(57)【特許請求の範囲】
【請求項１】
タッチ画面表示器を含むマスター側表示器、
隣接して配置されかつそれぞれが枠部を有する複数の表示画面を有し、前記マスター側表示器と同じオブジェクトを拡大して表示するスレーブ側表示器、および
前記マスター側表示器上で、前記枠部に相当する位置に境界線を表示させる境界線表示手段を備え、
前記境界線表示手段は、前記マスター側表示器上で、前記タッチ画面表示器上に手書きによってオブジェクトを表示させる場合に、前記枠部に相当する位置に、前記枠部の幅に応じた太さの境界線を表示させる、マルチ画面表示システム。
【請求項２】
前記マスター側表示器の枠部の幅の情報に基づいて前記境界線を表示させる太さを計算する第１計算手段をさらに備え、
前記境界線表示手段は、前記第１計算手段が算出した太さの境界線を表示させる、請求項１記載のマルチ画面表示システム。
【請求項３】
前記マスター側表示器上で前記境界線を表示すべき境界線表示位置を前記境界線表示手段に指示する表示位置指示手段をさらに備え、
前記境界線表示手段は前記指示手段によって指示される前記境界線表示位置に境界線を表示させる、請求項１または２記載のマルチ画面表示システム。
【請求項４】
前記表示位置指示手段は、前記マスター側表示器および前記スレーブ側表示器のそれぞれの構成情報に基づいて前記境界線を表示すべき境界線表示位置を計算する第２計算手段をさらに備え、
前記表示位置指示手段は前記第２計算手段が計算した境界線表示位置を前記境界線表示手段に指示する、請求項３記載のマルチ画面表示システム。
【請求項５】
前記スレーブ側表示器を構成する複数の表示画面は同じサイズで同じ解像度を有し、
前記構成情報は、前記表示画面の縦および横の数ならびに縦および横の画素数を含む、請求項４記載のマルチ画面表示システム。
【請求項６】
前記表示位置指示手段は予め記憶している境界線表示位置を前記境界線表示手段に指示する、請求項３記載のマルチ画面表示システム。
【請求項７】
タッチ画面表示器を含むマスター側表示器および隣接して配置されかつそれぞれが枠部を有する複数の表示画面を有し、前記マスター側表示器と同じオブジェクトを拡大して表示するスレーブ側表示器を備える、マルチ画面表示システムのコンピュータによって実行可能な表示制御プログラムであって、
前記コンピュータを、前記マスター側表示器上で、前記タッチ画面表示器上に手書きによってオブジェクトを表示させる場合に、前記枠部に相当する位置に、前記枠部の幅に応じた太さの境界線を表示させる、境界線表示手段として機能させる、表示制御プログラム。
【発明の詳細な説明】
【技術分野】
【０００１】
この発明は、マルチ画面表示システムおよび表示制御プログラムに関し、特にたとえば、単一画面のマスター側表示器で表示しているオブジェクトを拡大してマルチ画面のスレーブ側表示器に表示する、マルチ画面表示システム、表示制御プログラムおよび表示制御方法に関する。
【背景技術】
【０００２】
この種の背景技術の一例が特許文献１に開示される。この特許文献１に開示されるマルチ画面表示システムでは、隣接して配置される複数の画像表示装置を用いる。このようなマルチ画面表示システムは、たとえば、学術講演会などにおいて多数の聴衆に表示オブジェクトを見せるための大画面表示装置として利用される。
【０００３】
このような大画面表示装置は、スレーブ側表示装置として利用され、講演者の手元にあるマスター側表示装置から表示データ(オブジェクトを表示するためのデータ）を受けることによって、オブジェクトを表示する。
【先行技術文献】
【特許文献】
【０００４】
【特許文献１】特開２０１３‐７９３２号公報
【発明の概要】
【発明が解決しようとする課題】
【０００５】
このような場合、マスター側表示装置から送られる表示データによっては、隣接する画像表示装置の間の境界（枠）によって表示オブジェクトが見にくくなってしまうという問題がある。
【０００６】
それゆえに、この発明の主たる目的は、新規な、マルチ画面表示システムおよび表示制御プログラムを提供することである。
【０００７】
この発明の他の目的は、隣接する表示画面の間の枠部によってオブジェクトの表示が見にくくなるのが防止できる、マルチ画面表示システムおよび表示制御プログラムを提供することである。
【課題を解決するための手段】
【０００８】
第１の発明は、タッチ画面表示器を含むマスター側表示器、隣接して配置されかつそれぞれが枠部を有する複数の表示画面を有し、マスター側表示器と同じオブジェクトを拡大して表示するスレーブ側表示器、およびマスター側表示器上で、枠部に相当する位置に境界線を表示させる境界線表示手段を備え、境界線表示手段は、マスター側表示器上で、タッチ画面表示器上に手書きによってオブジェクトを表示させる場合に、枠部に相当する位置に、枠部の幅に応じた太さの境界線を表示させる、マルチ画面表示システムである。
【０００９】
第１の発明では、マスター側表示器（２０）は単一画面のタッチ画面表示器を含み、スレーブ側表示器（１８）は、複数の表示画面（２２）が縦、横に配列されて１つの大画面表示器を形成するマルチ画面表示器（１８）である。それぞれの表示画面の周囲には枠部（２４ｈ、２４ｖ）が形成されている。境界線表示手段（２６、３４、Ｓ２３）は、マスター側表示器上で、タッチ画面表示器上に手書きによってオブジェクトを表示させる場合に、それらの枠部に相当する位置に、枠部の幅に応じた太さの境界線（６４ｈ、６４ｖ）を表示させる。
【００１０】
第１の発明によれば、マスター側表示器上に境界線が表示されるので、マスター側において、マスター側表示器の境界線にかからないようにオブジェクトを配置することによって、スレーブ側表示器上においてオブジェクトが枠部を避けて表示されるので、枠部によってオブジェクトが見にくくなるのが防止できる。
【００１１】
第２の発明は、第１の発明に従属し、マスター側表示器の枠部の幅の情報に基づいて境界線を表示させる太さを計算する第１計算手段をさらに備え、境界線表示手段は、第１計算手段が算出した太さの境界線を表示させる、マルチ画面表示システムである。
【００１２】
第２の発明では、境界線は各表示画面の枠部の太さないし幅の大きさに応じた太さで表示される。
【００１３】
第２の発明によれば、境界線は枠部の幅に応じた太さで表示されるので、スレーブ側表示上で確実に枠部を避けたオブジェクト表示が可能になる。
【００１４】
第３の発明は、第１または第２の発明に従属し、マスター側表示器上で境界線を表示すべき境界線表示位置を境界線表示手段に指示する表示位置指示手段をさらに備え、境界線表示手段は指示手段によって指示される境界線表示位置に境界線を表示させる、マルチ画面表示システムである。
【００１５】
第３の発明では、表示位置指示手段（２６、Ｓ５、Ｓ９、Ｓ１５、Ｓ１１、Ｓ１７Ｓ２１、Ｓ３５、Ｓ４１、Ｓ４５、６８）が境界線表示手段に、境界線（６４ｈ、６４ｖ）を表示すべき位置を指示する。
【００１６】
第３の発明によれば、境界線が指示された表示位置に表示されるので、正しい位置に境界線を表示することができる。
【００１７】
第４の発明は、第３の発明に従属し、表示位置指示手段は、マスター側表示器およびスレーブ側表示器のそれぞれの構成情報に基づいて境界線を表示すべき境界線表示位置を計算する第２計算手段をさらに備え、表示位置指示手段は第２計算手段が計算した境界線表示位置を境界線表示手段に指示する、マルチ画面表示システムである。
【００１８】
第４の発明では、第２計算手段（２６、Ｓ５、Ｓ９、Ｓ１５）が、マスター側表示器の構成情報、たとえば解像度（縦、横画素数）およびスレーブ側表示器の構成情報、たとえば表示画面の数（縦、横）、各表示画面の解像度（縦、横画素数）などに基づいて、マスター側表示上で境界線（６４ｈ、６４ｖ）を表示すべき位置を計算する。表示位置指示手段は、その計算手段の計算結果に基づいて、境界線表示位置を指示する。
【００１９】
第４の発明によれば、第２計算手段で表示位置を計算するので、マスター側表示器およびスレーブ側表示器の任意の組み合わせにおいて、最適な位置に境界線を表示することができる。
【００２０】
第５の発明は、第４の発明に従属し、スレーブ側表示器を構成する複数の表示画面は同じサイズで同じ解像度を有し、構成情報は、表示画面の縦および横の数ならびに縦および横の画素数を含む、マルチ画面表示システムである。
【００２１】
第５の発明によれば、スレーブ側表示器を構成するマルチ画面表示器において同じサイズおよび解像度の表示画面を用いるので計算手段における計算が容易である。
【００２２】
第６の発明は、第３の発明に従属し、表示位置指示手段は予め記憶している境界線表示位置を境界線表示手段に指示する、マルチ画面表示システムである。
【００２３】
第６発明では、使用するマスター側表示器およびスレーブ側表示器が既知のものであれば、たとえば上述のような計算によって予め求めた表示位置を記憶しておいて、その記憶しておいた表示位置を境界線表示手段に指示することができる。
【００２４】
第６の発明によれば、その都度計算する必要がない。
【００２５】
第７の発明は、タッチ画面表示器を含むマスター側表示器および隣接して配置されかつそれぞれが枠部を有する複数の表示画面を有し、マスター側表示器と同じオブジェクトを拡大して表示するスレーブ側表示器を備える、マルチ画面表示システムのコンピュータによって実行可能な表示制御プログラムであって、コンピュータを、マスター側表示器上で、タッチ画面表示器上に手書きによってオブジェクトを表示させる場合に、枠部に相当する位置に、枠部の幅に応じた太さの境界線を表示させる境界線表示手段として機能させる、表示制御プログラムである。
【００２６】
第７の発明によっても、第１の発明と同じ効果が期待できる。
【発明の効果】
【００２７】
この発明によれば、スレーブ側表示器において各表示画面の枠部によってオブジェクトの表示が見にくくなるのが防止できる、マルチ画面表示システムが得られる。
【図面の簡単な説明】
【００２８】
【図１】図１はこの発明の一実施例のマルチ画面表示システムを示す図解図である。
【図２】図２は図１のマルチ画面表示システムにおけるマスター側表示装置の一例を示すブロック図である。
【図３】図３は図１のマルチ画面表示システムにおけるスレーブ側表示装置の一例を示すブロック図である。
【図４】図４は図２実施例のマスター側表示装置における記憶装置のＲＡＭのメモリマップの一例を示す図解図である。
【図５】図５は図１のマルチ画面表示システムにおけるマスター側表示装置のタッチ画面表示器に表示された境界線の一例を示す図解図である。
【図６】図６は図１のマルチ画面表示システムにおける第１実施例のマスター側表示装置の動作の一例を示すフロー図である。
【図７】図７は第１実施例においてスレーブ側表示装置のマルチ画面表示器およびマスター側表示装置のタッチ画面表示器のアスペクト比が同じ場合の枠部と境界線との関係を示す図解図である。
【図８】図８は第１実施例においてマスター側表示装置のタッチ画面表示器のアスペクト比がスレーブ側表示装置のマルチ画面表示器のアスペクト比より大きい場合の枠部と境界線との関係を示す図解図である。
【図９】図９は第１実施例においてスレーブ側表示装置のマルチ画面表示器のアスペクト比がマスター側表示装置のタッチ画面表示器のアスペクト比より大きい場合の枠部と境界線との関係を示す図解図である。
【図１０】図１０はスレーブ側表示装置のマルチ画面表示器において枠部によって表示オブジェクトが見にくくなることを示す図解図である。
【図１１】図１１は第１実施例においてマスター側表示装置のタッチ画面表示器に境界線を表示した結果、スレーブ側表示装置のマルチ画面表示器において枠部を避けてオブジェクトが表示されていることを示す図解図である。
【図１２】図１２は図１３に示す第２実施例の前提となる、スレーブ側表示装置における枠補正の一例を示す図解図である。
【図１３】図１３は図１のマルチ画面表示システムにおける第２実施例のマスター側表示装置の動作の一例を示すフロー図である。
【図１４】図１４は第３実施例に従ってスレーブ側表示装置の構成情報をマスター側表示装置において入力するためのＧＵＩの一例を示す図解図である。
【図１５】図１５は図１のマルチ画面表示システムにおける第３実施例のマスター側表示装置の動作の一部の一例を示すフロー図である。
【図１６】図１６は図１のマルチ画面表示システムにおける第４実施例においてマスター側表示装置に予め設定されているテーブルの一例を示す図解図である。
【図１７】図１７はこの発明の他の実施例のマルチ画面表示システムを示す図解図である。
【発明を実施するための形態】
【００２９】
＜第１実施例＞
図１を参照して、この発明の一実施例であるマルチ画面表示システム１０は、マスター側表示装置１２およびスレーブ側表示装置１４を含む。スレーブ側表示装置１４は、通信ケーブル１６を通してマスター側表示装置１２から表示用のデータ（表示データ）を受け取り、その表示データに従って、マスター側表示装置１２と同じオブジェクト（またはコンテンツ）を大きなサイズで（拡大して）マルチ画面表示器１８上に表示する。
【００３０】
マスター側表示装置１２は、たとえばタブレット端末、電子黒板などである。マスター側表示装置１２は、マスター側表示器として機能する、１つの画面で形成されているタッチ画面表示器２０を含み、このタッチ画面表示器２０はたとえば液晶表示器である。タッチ画面表示器２０の画素数（解像度）は、縦（Ａ）×横（Ｂ）である。つまり、タッチ画面表示器２０のアスペクト比はＢ／Ａである。
【００３１】
なお、タッチ画面表示器２０の表示面はタッチパネルとして形成されているので、スレーブ側表示装置１４で表示すべきオブジェクトをタッチ画面表示器２０上での手書きで入力することができる。
【００３２】
スレーブ側表示装置１４は、スレーブ側表示器として機能する、複数の表示画面が隣接して配置されたマルチ画面表示器１８を含む。マルチ画面表示器１８は、実施例では、縦（Ｍ）×横（Ｎ）個の表示画面２２(11)‐２２(MN)の集合で構成され、全体として１つの大画面パネルを形成する。マルチ画面表示器１８それぞれの表示画面２２（11）、…、２２(MN)は、一例として液晶表示器である。
【００３３】
実施例においては、表示画面２２（11）、…、２２(MN)はすべて同じ縦および横サイズでありかつ同じ縦および横の画素数の表示画面であるので、マルチ画面表示器１８の全体の画素数（解像度）は、１つの表示画面２２の画素数を縦（ｃ）×横（ｄ）とした場合、縦Ｃ（＝ｃ×Ｍ）×横Ｄ（＝ｄ×Ｎ）で求められる。したがって、マルチ画面表示器１８のアスペクト比はＤ／Ｃである。
【００３４】
なお、以下の記述においてマルチ画面表示器１８を構成する各表示画面２２（11）、…、２２(MN)を区別する必要がないときは、単に表示画面２２と呼ぶ。
【００３５】
各表示画面２２はそれぞれ、上下の水平方向の横枠部２４ｈおよび左右の垂直方向の縦枠部２４ｖを有する。したがって、マルチ画面表示器１８上においては、それらの横枠部２４ｈおよび縦枠部２４ｖの部分では、オブジェクトの表示がされない。
【００３６】
マスター側表示装置１２は、スレーブ側表示装置１４で表示するオブジェクトないしコンテンツのデータ（表示データ）を、たとえばＲＳ２３２Ｃ（商品名）のような通信ケーブル１６を介して、スレーブ側表示装置１４に送る。また、マスター側表示装置１２は、通信ケーブル１６を介して、マルチ画面表示器１８の構成情報、たとえば表示画面２２の数すなわち画面数Ｍ×Ｎおよび画素数（解像度）Ｃ×Ｄをスレーブ側表示装置１４から受け取る。
【００３７】
図２はマスター側表示装置１２の電気的構成の一例を示すブロック図である。この図２において、タッチ画面表示器２０が上述のようにマスター側表示器であり、ＣＰＵ２６などを含む他の部分がマスター側制御装置（マスター側制御手段）を構成する。
【００３８】
マスター側表示装置１２は、全体的な制御を行うＣＰＵ２６を含む。このＣＰＵ２６は、コンピュータを構成し、バス２８を通じて、記憶装置３０および外部記憶装置３２などの記憶装置に対してアクセスし、それらにデータを書き込みあるいはそれらからデータを読み出す。記憶装置３０はこのマスター側表示装置１２に内蔵されているもので、いずれも図示しないが、たとえばＣＰＵ２６のワーク領域およびバッファ領域として用いられるＲＡＭ、オペレーティングシステム（ＯＳ）やアプリケーションプログラムをインストールするためのＨＤＤなどを含む。
【００３９】
外部記憶装置３２はたとえばＵＳＢメモリのようにコネクタやケーブルなどの接続手段（図示せず）によって、マスター側表示装置１２に着脱自在に装着される。外部記憶装置３２が装着されると、ＣＰＵ２６はバス２８を介してこの外部記憶装置３２にアクセスできる。外部記憶装置３２は必要に応じて装着されるものである。
【００４０】
たとえば、このマルチ画面表示システム１０を利用するユーザが講演用のコンテンツを外部記憶装置３２に予め記録しておき、講演時に持参した外部記憶装置３２をマスター側表示装置１２に装着することによって、大画面表示装置すなわちスレーブ側表示装置１４上にそのコンテンツを表示して講演を進行させることができる。
【００４１】
表示制御回路３４は、たとえばＧＰＵ（Graphics Processing Unit）、ＶＲＡＭ等を有し、ＣＰＵ２６の制御に従って、たとえば外部記憶装置３２から読み出されたコンテンツデータに従って、タッチ画面表示器２０にオブジェクトを表示する。たとえば、ＣＰＵ２６が外部記憶装置３２からコンテンツデータを読み出し、そのコンテンツデータが記憶装置３０に一時的に記憶され、その後記憶装置３０から読み出されて表示制御回路３４に与えられる。表示制御回路３４では、コンテンツデータに従ってＧＰＵがＶＲＡＭ上で表示データを生成し、それをタッチ画面表示器２０に与える。このようにして、マスター側表示装置１２では、タッチ画面表示器２０において、オブジェクトが表示される。
【００４２】
ただし、マスター側表示装置１２のタッチ画面表示器２０で表示する画像は、２次元画像でも３次元画像でもよい。
【００４３】
また、コンテンツデータは、外部記憶装置３２にではなく、内蔵している記憶装置３０に予め設定されていてもよい。
【００４４】
タッチ画面表示器２０は、表示器表面にタッチパネルの機能を備えた表示器である。タッチパネル制御回路３６は、そのタッチパネルに必要な電圧などを付与するとともに、タッチパネルのタッチ有効範囲内でのタッチ操作（タッチ入力）を検出して、そのタッチ入力の位置を示すタッチ座標データをＣＰＵ２６に出力する。
【００４５】
ただし、タッチパネルとしては、実施例では静電容量方式を用いるが、その他電磁誘導方式、抵抗膜方式、赤外線方式など、任意の方式のものを用いることができる。
【００４６】
通信回路３８は、通信ケーブル１６を用いて、スレーブ側表示装置１４と通信し、そのスレーブ側表示装置１４に対して、表示データを供給し、あるいは、スレーブ側表示装置１４から、必要なデータ（上述の構成情報など）を受け取る。
【００４７】
ただし、通信回路３８は、実施例のような有線通信でなく、無線通信によってスレーブ側表示装置１４と通信するように変更されてもよい。
【００４８】
図３はスレーブ側表示装置１４の電気的構成の一例を示すブロック図である。この図３において、マルチ画面表示器１８が上述のようにスレーブ側表示器であり、ＣＰＵ４０などを含む他の部分がスレーブ側制御装置（スレーブ側制御手段）を構成する。
【００４９】
スレーブ側表示装置１４は、マルチ画面表示器１８での表示や通信などの全体的な制御を行うＣＰＵ４０を含み、このＣＰＵ４０はバス４２を通じて、ＲＡＭ４４およびＨＤＤ４６などの記憶装置に対してアクセスし、それらにデータを書き込みあるいはそれらからデータを読み出す。ＲＡＭ４４は、ＣＰＵ４０のワーク領域およびバッファ領域として用いられる。ＨＤＤ４６は、スレーブ側表示装置１４の主記憶装置であり、オペレーティングシステム（ＯＳ）やアプリケーションプログラムがインストールされ得る。
【００５０】
表示制御回路４８は、たとえばＶＲＡＭを有し、通信回路５０を介してマルチ画面表示器１８から受け取る表示データに応じて、ＣＰＵ４０の制御に従って、マルチ画面表示器１８上でオブジェクトを表示する。
【００５１】
たとえば、マルチ画面表示器１８から送られてきた表示データはＲＡＭ４４に一時的に記憶され、ＣＰＵ４０の指示に従ってその表示データがＲＡＭ４４から読み出されて表示制御回路４８に与えられる。表示制御回路４８では、その表示データをＶＲＡＭ上で、マルチ画面表示器１８を構成する個々の表示画面のための個々の画面データに展開し、個々の画面データを対応の表示画面２２（11）、…、２２(MN)（図１）に与える。したがって、マスター側表示装置１２から送られる表示データに従った大画面表示がこのマルチ画面表示器１８上で行われ得る。つまり、マスター側表示装置１２のタッチ画面表示器２０と同じオブジェクトが、拡大されてマルチ画面表示器１８で表示される。
【００５２】
ただし、スレーブ側表示装置１４におけるこのような表示制御は単なる一例であって、限定されるものではない。たとえば、マルチ画面表示器１８からは画像生成データを表示データとして送信し、他方、表示制御回路４８にＧＰＵ（Graphics Processing Unit）を設けておき、ＣＰＵ２６の指示の下、ＧＰＵが、ＲＡＭ４４から読み出された画像生成データを用いて上述の画面データを生成するようにしてもよい。
【００５３】
なお、通信回路５０は、マスター側表示装置１２の通信回路３８に応じて、有線通信回路または無線通信回路とされる。
【００５４】
図４は図２に示すマスター側表示装置１２の記憶装置３０に含まれるＲＡＭ（図示せず）のメモリマップの一例を示す図解図である。図４に示すように、マスター側表示装置１２のＲＡＭは、プログラム記憶領域５２およびデータ記憶領域５４を含む。プログラム記憶領域５２には、表示制御プログラムが記憶される。表示制御プログラムは、通信プログラム５２ａ、計算プログラム５２ｂ、境界線表示プログラム５２ｃ等を含む。
【００５５】
通信プログラム５２ａは、上述の通信回路３８を用いて、スレーブ側表示装置１４の通信回路５０と通信するためのプログラムである。計算プログラム５２ｂは、後述するように、マルチ画面表示器１８の各表示画面２２の横枠部２４ｈおよび縦枠部２４ｖに相当する境界線（図６：横境界線６４ｈおよび縦境界線６４ｖ（後述））のタッチ画面表示器２０上での表示位置を計算するためのプログラムである。
【００５６】
境界線表示プログラム５２ｃは、上述の計算プログラム５２ｂで計算したタッチ画面表示器２０上の位置に、たとえば図５に示すような横境界線６４ｈおよび縦境界線６４ｖを表示するためのプログラムである。
【００５７】
データ記憶領域５４には、マスター側表示装置１２のタッチ画面表示器２０の構成情報のデータ（画素数、縦×横Ａ×Ｂ）５４ａ、スレーブ側表示装置１４から教えられたマルチ画面表示器１８のマルチ画面表示器データ５４ｂが記憶される。
【００５８】
データ記憶領域５４に記憶される境界線位置データ５４ｃは、計算プログラム５２ｂで計算した、横境界線６４ｈおよび縦境界線６４ｖ（図５）を表示する位置を示すデータである。
【００５９】
データ記憶領域５４には接続フラグ５４ｄが形成されるが、この接続フラグ５４ｄは、マスター側表示装置１２とスレーブ側表示装置１４とがたとえば通信ケーブル１６を介して接続状態にあるかどうかを示すフラグであ。この接続フラグ５２ｄが「１」のとき両者は接続状態にあり、「０」のとき接続状態にはない。
【００６０】
表示制御プログラムを示す図６のフロー図を参照して、最初のステップＳ１では、ＣＰＵ２６は、通信回路３８および５０によって、通信ケーブル１６を通してスレーブ側表示装置１４の構成情報（マルチ画面表示器１８のデータ）を取得する。このようにして取得されたマルチ画面表示器１８のデータは、ＲＡＭに記憶される（５４ｂ）る。他方、タッチ画面表示器２０のデータもデータ記憶領域５４にタッチ画面表示データ５４ａとして記憶される。
【００６１】
そして、次のステップＳ３において、タッチ画面表示器２０のアスペクト比Ｂ／Ａがマルチ画面表示器１８のアスペクト比Ｄ／Ｃと等しいかどうか（Ｂ／Ａ＝Ｄ／Ｃ？）、判断する。
【００６２】
ステップＳ３で“ＹＥＳ”と判断したとき、すなわちＢ／Ａ＝Ｄ／Ｃのとき、次のステップＳ５で、ＣＰＵ２６は数１および数２に従って、マルチ画面表示器１８の各表示画面２２の横枠部２４ｈおよび縦枠部２４ｖに相当する、タッチ画面表示器２０上での図５に示す横境界線６４ｈの位置および縦境界線６４ｖの位置を計算する。
【００６３】
［数１］
（Ａ／Ｍ）×ｍ  （ｍ＝１，２，…，Ｍ-１）
【００６４】
［数２］
（Ｂ／Ｎ）×ｎ  （ｎ＝１，２，…，Ｎ-１）
つまり、数１で示すように、マルチ画面表示器１８における縦方向（垂直方向）における表示画面２２の数Ｍでタッチ画面表示器２０の縦方向（垂直方向）における画素数Ａを割ると、表示画面２２の横枠部２４ｈ（図１）に対応する横境界線６４ｈ（図５）をタッチ画面表示器２０上で表示すべき位置が求まる。
【００６５】
同様にして、数２で示すように、マルチ画面表示器１８における横方向（水平方向）における表示画面２２の数Ｎでタッチ画面表示器２０の横方向（水平方向）における画素数Ｂを割ると、表示画面２２の縦枠部２４ｖ（図１）に対応する縦境界線６４ｖ（図５）タッチ画面表示器２０上で表示すべき位置が求まる。
【００６６】
ステップＳ３で“ＹＥＳ”と判断したとき、すなわちタッチ画面表示器２０のアスペクト比Ｂ／Ａがマルチ画面表示器１８のアスペクト比Ｄ／Ｃと等しいときには、図７に示すように、マルチ画面表示器１８の横枠部２４ｈおよび縦枠部２４ｖにそのまま対応して横境界線６４ｈおよび縦境界線６４ｖの位置を求めればよい。
【００６７】
一例として、図７に示すように、表示画面２２の横方向画素数が「１９２０」で、縦方向画素数が「１０８０」だとすると、マルチ画面表示器１８の横方向総画素数Ｄは５７６０（＝１９２０×３）となり、縦方向総画素数は３２４０（＝１０８０×３）である。タッチ画面表示器２０の横方向画素数が「１９２０」であり、縦方向画素数が「１０８０」であるとき、マルチ画面表示器１８およびタッチ画面表示器２０のアスペクト比は同じ（１６：９）となる。このとき、マルチ画面表示器１８の各表示画面２２の横枠部２４ｈは、１９２０（＝５７６０÷３）画素毎に配置されるのであるから、タッチ画面表示器２０においても、横境界線６４ｈは、数１に従えば、６４０(＝１９２０÷３）画素毎の位置に表示すればよいことが分かる。
【００６８】
タッチ画面表示器２０に表示すべき縦境界線６４ｖ（図７）についても、同様に、マルチ画面表示器１８の縦方向総画素数が３２４０（＝１０８０×３）であり、マルチ画面表示器１８の各表示画面２２の縦枠部２４ｖは、１０８０（＝３２４０÷３）画素毎に配置されるのであるから、タッチ画面表示器２０においても、縦境界線６４ｖは、数１に従えば、３６０（＝１０８０÷３）画素毎の位置に表示すればよい。
【００６９】
ステップＳ７ではこのようにしてステップＳ５すなわち計算手段においてタッチ画面表示器２０の構成情報、たとえば縦横の画素数およびマルチ画面表示器１８の構成情報、たとえば表示画面２２の数（縦横）、解像度（縦横画素数）などに基づいて計算した横境界線６４ｈおよび縦境界線６４ｖのそれぞれの表示位置を記憶装置３０の境界線位置データ５４ｃとして記憶する。
【００７０】
ステップＳ３で“ＮＯ”を判断したとき、すなわち、タッチ画面表示器２０とマルチ画面表示器１８のアスペクト比が同じでないとき、ステップＳ９で、タッチ画面表示器２０のアスペクト比の方がマルチ画面表示器１８のアスペクト比より大きいかどうか判断する（Ｂ／Ａ＞Ｄ／Ｃ？）。このステップＳ９で“ＹＥＳ”のとき、すなわちＢ／Ａ＞Ｄ／Ｃのとき、ステップＳ１１に進む。
【００７１】
タッチ画面表示器２０のアスペクト比の方がマルチ画面表示器１８のアスペクト比より大きいということは、図８に示すように。スレーブ側表示装置すなわちマルチ画面表示器１８においては上下に黒帯６６が表示されるということである（レターボックス形式という）。
【００７２】
この場合、ステップＳ１１で、マルチ画面表示器１８でレターボックス表示されるときの、タッチ画面表示器２０において境界線６４ｈおよび６４ｖを表示すべき位置を、数３および数４で計算する。
【００７３】
［数３］
（ＢＣ／ＤＭ）×ｍ−（ＢＣ−ＡＤ）／２Ｄ  （ｍ＝１，２，…，Ｍ-１）
【００７４】
［数４］
（Ｂ／Ｎ）×ｎ  （ｎ＝１，２，…，Ｎ-１）
数３では、スレーブ側表示装置１４のマルチ画面表示器１８の縦方向（垂直方向）の総画素数Ｃをマルチ画面表示器１８の縦方向の表示画面２２の数Ｍで割って表示画面２２毎の横枠部２４ｈの位置を求め、その結果に対して、マスター側表示装置１２のタッチ画面表示器２０の横方向の画素数Ｂとマルチ画面表示器１８における横方向（水平方向）における総画素数Ｄとの比率を掛ける。つまり、マスター側表示装置１２のタッチ画面表示器２０およびスレーブ側表示装置１４のマルチ画面表示器１８の表示領域のアスペクト比は変わらないので、マスター側表示装置１２のタッチ画面表示器２０は縦横ともにＤ／Ｂ倍されてスレーブ側表示装置１４のマルチ画面表示器１８に表示される。
【００７５】
そして、数３の後半（第２項）では、マルチ画面表示器１８の上下に表示される黒帯６６（図９）に対応するタッチ画面表示器２０上での黒帯７０の幅を計算する。つまり、タッチ画面表示器２０の横方向画素数Ｂとマルチ画面表示器１８の縦方向総画素数Ｃとの積ＢＣから、タッチ画面表示器２０の縦方向画素数Ａとマルチ画面表示器１８の横方向総画素数Ｄとの積ＡＤを引いた結果を、マルチ画面表示器１８の横方向総画素数Ｄの２倍（２Ｄ）で割ることによって、タッチ画面表示器２０上での黒帯７０の幅が算出できる。そして、数３の前半で求めた結果からその黒帯７０の幅を差し引く（減算する）ことによって、タッチ画面表示器２０で表示される上側の黒帯７０を画面の外（上方）へ移動させ、それに応じて数３の前半で計算した横境界線６４ｈの位置をその幅だけ上方へ移動する。
【００７６】
つまり、スレーブ側表示装置１４のマルチ画面表示器１８の黒帯７０は上端と下端で２等分されるとして、黒帯の領域は（Ｃ−ＡＤ／Ｂ）÷２で計算される。マスター側表示装置１２のタッチ画面表示器２０はスレーブ側表示装置１４のマルチ画面表示器１８のＢ／Ｄ倍されたものとなるので、黒帯７０に相当する範囲を計算すると（ＢＣ−ＡＤ）／２Ｄとなる。したがって、数３の第２項は黒帯部分を差し引くということになる。
【００７７】
図８の例では、マルチ画面表示器１８の縦方向総画素数Ｃは２８８０（＝９６０×３）であり、横方向総画素数Ｄは３８４０（＝１２８０×３）である。一方、タッチ画面表示器２０の縦方向画素数Ａは「１０８０」、横方向画素数Ｂは「１９２０」である。
【００７８】
したがって、Ｃ÷Ｍは９６０（＝２８８０÷３）となり、Ｂ／Ｄは０．５（＝１９２０÷３８４０）となり、（ＢＣ／ＤＭ）は４８０（＝９６０×０．５）である。また、ＢＣ−ＡＤは（５５２９６００−４１４７２００）であり、それを２Ｄで割ると、「１８０」となる。したがって、タッチ画面表示器２０上では、一番上の横境界線６４ｈは、そのタッチ画面表示器２０の上端から３００（＝４８０−１８０）画素の位置に表示すべきと計算される。２番目および３番目の横境界線６４ｈは、それぞれ４８０画素の間隔を維持して表示されるように計算される。
【００７９】
図８において、マルチ画面表示器１８の上下の黒帯６６の幅が（Ｃ−ＡＤ／Ｂ）÷２として示され、それを除く表示領域の縦方向がＡＤ／Ｂとして示されている。他方、タッチ画面表示器２０では、上下の黒帯７０を含む縦方向がＣＢ／Ｄとして示され、黒帯７０の幅が（ＢＣ−ＡＤ）／２Ｄとして示されている。
【００８０】
なお、数４に従ってマルチ画面表示器１８における横方向（水平方向）における表示画面２２の数Ｎでタッチ画面表示器２０の横方向（水平方向）における画素数Ｂを割ると、図８のようにタッチ画面表示器２０のアスペクト比の方がマルチ画面表示器１８のアスペクト比より大きい（Ｂ／Ａ＞Ｄ／Ｃ）ときの表示画面２２の縦枠部２４ｖ（図１）に対応する縦境界線６４ｖ（図６）をタッチ画面表示器２０上で表示すべき位置が求まる。このときの縦境界線６４ｖの位置は、タッチ画面表示器２０のアスペクト比とマルチ画面表示器１８のアスペクト比とが等しいとき（Ｂ／Ａ＝Ｄ／Ｃ）と同じである。なぜなら、Ｂ／Ａ＞Ｄ／Ｃのときには、スレーブ側表示装置すなわちマルチ画面表示器１８では、図８に示すように、マルチ画面表示器１８の上下に黒帯６６が表示されるものの、マルチ画面表示器１８の左右方向は図７のようなＢ／Ａ＝Ｄ／Ｃのときと変化がないからである。
【００８１】
ステップＳ１３ではこのようにしてステップＳ１１すなわち計算手段においてタッチ画面表示器２０の構成情報、たとえば縦横の画素数およびマルチ画面表示器１８の構成情報、たとえば表示画面２２の数（縦横）、解像度（縦横画素数）などに基づいて計算した横境界線６４ｈおよび縦境界線６４ｖのそれぞれの表示位置を記憶装置３０の境界線位置データ５４ｃとして記憶する。
【００８２】
ステップＳ９で“ＮＯ”を判断したときは、タッチ画面表示器２０のアスペクト比の方がマルチ画面表示器１８のアスペクト比より小さい（Ｂ／Ａ＜Ｄ／Ｃ）ことを意味し、このときには、図９に示すように、スレーブ側表示装置すなわちマルチ画面表示器１８においては左右に黒帯が表示されるということである（ピラーボックスまたはサイドパネル形式という。）。
【００８３】
この場合、ステップＳ１５に進み、スレーブ側表示装置であるマルチ画面表示器１８でピラーボックス形式で表示されるときの、マスター側表示装置１２におけるタッチ画面表示器２０において境界線６４ｈおよび６４ｖを表示すべき位置を、数５および数６で計算する。
【００８４】
［数５］
（Ａ／Ｍ）×ｍ  （ｍ＝１，２，…，Ｍ-１）
【００８５】
［数６］
（ＡＤ／ＣＮ）×ｎ−（ＡＤ−ＢＣ）／２Ｃ  （ｎ＝１，２，…，Ｎ-１）
数５に従って、マルチ画面表示器１８における縦方向（垂直方向）における表示画面２２の数Ｍでタッチ画面表示器２０の縦方向（垂直方向）における画素数Ａを割ると、図９のようにタッチ画面表示器２０のアスペクト比の方がマルチ画面表示器１８のアスペクト比より小さい（Ｂ／Ａ＜Ｄ／Ｃ）ときの表示画面２２の横枠部２４ｈ（図１）に対応する横境界線６４ｈ（図６）をタッチ画面表示器２０上で表示すべき位置が求まる。このときの横境界線６４ｈの位置は、タッチ画面表示器２０のアスペクト比とマルチ画面表示器１８のアスペクト比とが等しいとき（Ｂ／Ａ＝Ｄ／Ｃ）と同じである。なぜなら、Ｂ／Ａ＜Ｄ／Ｃのときには、スレーブ側表示装置すなわちマルチ画面表示器１８では、図９に示すように、マルチ画面表示器１８の左右に黒帯７０が表示されるものの、マルチ画面表示器１８の上下方向は図８のようなＢ／Ａ＝Ｄ／Ｃのときと変化がないからである。
【００８６】
これに対して、数６に従って、スレーブ側表示装置１４のマルチ画面表示器１８の横方向（水平方向）の総画素数Ｄをマルチ画面表示器１８の横方向の表示画面２２の数Ｎで割って表示画面２２毎の縦枠部２４ｖの位置を求め、その結果に対して、マスター側表示装置１２のタッチ画面表示器２０の縦方向の画素数Ａとマルチ画面表示器１８における縦方向（垂直方向）における総画素数Ｃとの比率を掛ける。つまり、マスター側表示装置１２のタッチ画面表示器２０およびスレーブ側表示装置１４のマルチ画面表示器１８の表示領域のアスペクト比は変わらないので、マスター側表示装置１２のタッチ画面表示器２０は縦横ともにＣ／Ａ倍されてスレーブ側表示装置１４のマルチ画面表示器１８に表示される。
【００８７】
そして、数６の後半（第２項）では、マルチ画面表示器１８の左右に表示される黒帯７０（図１０）に対応するタッチ画面表示器２０上での黒帯７２の幅を計算する。つまり、タッチ画面表示器２０の縦方向画素数Ａとマルチ画面表示器１８の横方向総画素数Ｄとの積ＡＤから、タッチ画面表示器２０の横方向画素数Ｂとマルチ画面表示器１８の縦方向総画素数Ｃとの積ＢＣを引いた結果を、マルチ画面表示器１８の縦方向総画素数Ｃの２倍（２Ｃ）で割ることによって、タッチ画面表示器２０上での黒帯７２の幅が算出できる。そして、その黒帯７２の幅を差し引く（減算する）ことによって、タッチ画面表示器２０で表示すべき左側の黒帯７２を画面の左方へ移動させ、それに応じて上で計算した縦境界線６４ｖの位置をその幅だけ左方へ移動する。
【００８８】
つまり、スレーブ側表示装置１４のマルチ画面表示器１８の黒帯７２は右端と左端で２等分されるとして、黒帯の領域は（Ｄ-ＢＣ／Ａ）÷２で計算される。マスター側表示装置１２のタッチ画面表示器２０はスレーブ側表示装置１４のマルチ画面表示器１８のＣ／Ａ倍されたものとなるので、黒帯７４に相当する範囲を計算すると（ＡＤ−ＢＣ）／２Ｃとなる。したがって、数６の第２項は黒帯部分を差し引くということになる。
【００８９】
図９の例では、マルチ画面表示器１８の横方向総画素数Ｄは５７６０（＝１９２０×３）であり、縦方向総画素数Ｃは３２４０（＝１０８０×３）である。一方、タッチ画面表示器２０の縦方向画素数Ａは「９６０」、横方向画素数Ｂは「１２８０」である。
【００９０】
したがって、Ｄ÷Ｎは１９２０（＝５７６０÷３）となり、Ａ／Ｃは０．３（≒９６０÷３２４０）となり、（ＡＤ／ＣＮ）は５７６（＝１９２０×０．３）である。また、ＡＤ−ＢＣは（＝５５２９６００−４１４７２００）であり、それを２Ｃで割ると、「２１３」（小数点以下切捨て）となる。したがって、タッチ画面表示器２０上では、一番左の縦境界線６４ｖは、そのタッチ画面表示器２０の左端から３６３（＝５７６−２１３）画素の位置に表示すべきと計算される。２番目および３番目の縦境界線６４ｖは、それぞれ５７６画素の間隔を維持して表示されるように計算される。
【００９１】
図９において、マルチ画面表示器１８の左右の黒帯７２の幅が（Ｄ−ＢＣ／Ａ）÷２として示され、それを除く表示領域のたて横方向がＢＣ／Ａとして示されている。他方、タッチ画面表示器２０では、左右の黒帯７４を含む横方向がＡＤ／Ｃとして示され、黒帯７４の幅が（ＡＤ−ＢＣ）／２Ｃとして示されているる
ステップＳ１７ではこのようにしてステップＳ１５すなわち計算手段においてタッチ画面表示器２０の構成情報、たとえば縦横の画素数およびマルチ画面表示器１８の構成情報、たとえば表示画面２２の数（縦横）、解像度（縦横画素数）などに基づいて計算した横境界線６４ｈおよび縦境界線６４ｖのそれぞれの表示位置を記憶装置３０の境界線位置データ５４ｃとして記憶する。
【００９２】
そして、ステップＳ７またはＳ１３またはＳ１７の後、ステップＳ１９において、マスター側表示装置１２のＣＰＵ２６は、図７または図８または図９に示すように、タッチ画面表示器２０上に、横境界線６４ｈおよび縦境界線６４ｖをそれぞれ表示する。このとき、境界線６４ｈおよび６４ｖの太さ（ピクセル数）は、基本的には枠部２４ｈおよび２４ｖの太さ（幅：後述の図１２（Ａ）に示すｔ，ｂ，ｌ，ｒ）に応じて決めるが、この実施例では、１ピクセルとしている。
【００９３】
この第１実施例に従ってマスター側表示装置１２のタッチ画面表示器２０上に、スレーブ側表示装置１４のマルチ画面表示器１８の各表示画面２２の枠部２４ｈおよび２４ｖに相当する境界線６４ｈおよび６４ｖを表示することによって、図１０および図１１を参照して説明する効果が期待できる。
【００９４】
詳しく説明すると、第１実施例が適用されていない場合の図１に示すマルチ画面表示システム１０においては、マスター側表示装置１２のタッチ画面表示器２０には何も表示されていないので、スレーブ側表示装置１４のマルチ画面表示器１８で表示すべきオブジェクトを、タッチ画面表示器２０の任意の位置に配置することになる。この場合、マルチ画面表示器１８では、たとえば図１０に示すように、各表示画面の枠部２４ｈおよび／または２４ｖにオブジェクトの一部が重なって、見えにくくなる。
【００９５】
これに対して、第１実施例を適用した図１のマルチ画面表示システム１０では、マスター側表示装置１２のタッチ画面表示器２０上には、図１１（Ａ）に示すように、横境界線６４ｈおよび縦境界線６４ｖが表示されているため、マスター側表示装置１２のユーザは、たとえば位置Ｐ１やＰ２等において、境界線６４ｈおよび６４ｖの位置を避けるように、オブジェクトを配置（設定）することができる。
【００９６】
そのため、このマスター側表示装置１２のタッチ画面表示器２０と同じオブジェクトをかくだいして表示するスレーブ側表示装置１４のマルチ画面表示器１８上においても、図１１（Ｂ）において位置Ｐ１やＰ２に示すように、枠部２４ｈおよび２４ｖに重ならないように表示することができる。
【００９７】
このような利点は、タッチ画面表示器２０上に手書きによってオブジェクトを表示させる場合にも極めて効果的である。オブジェクトを手書き入力によって表示しようとする場合、第１実施例のようにタッチ画面表示器２０上に境界線６４ｈおよび６４ｖが表示されていると、ユーザはその境界線の位置を避けて手書きオブジェクトを入力することができるので、その手書きオブジェクトをそのまま拡大して表示するスレーブ側表示装置１４のマルチ画面表示器１８においても、手書きオブジェクトは枠部２４ｈおよび２４ｖを避けて表示することができる。
＜第２実施例＞
第２実施例では、スレーブ側表示装置１４において枠補正をする場合に、マスター側表示装置１２のタッチ画面表示器２０で表示する境界線６４ｈおよび６４ｖの太さを計算する。
【００９８】
図１２（Ａ）を参照して、枠補正しない場合、スレーブ側表示装置１４のマルチ画面表示器１８において、各表示画面２２の枠部２４ｈおよび２４ｖの部分で表示オブジェクトが分断されるため、枠部において表示が間延びして見にくくなっている。
【００９９】
なお、図１２（Ａ）の実施例では、上側の横枠部２４ｈの幅がｔピクセルであり、下側の横枠部２４ｈの幅がｂピクセルであり、右側の横枠部２４ｖの幅がｒピクセルであり、左側の横枠部２４ｖの幅がｌピクセルである。そして、これらの枠部の幅だけ、表示が間延びする。
【０１００】
これに対して、図１２（Ｂ）に示すような枠補正が設定されている場合、あたかも枠部２４ｈおよび２４ｖにオブジェクトが表示されているように、枠部分においても表示を間延びさせずに表示する。たとえば、上側の横枠部２４ｈに相当する位置でｔピクセルにもオブジェクトを表示する。つまり、オブジェクトの表示を上側横枠部においてｔピクセル分圧縮する。同様に、下側の横枠部２４ｈにおいてｂピクセル分、右側の横枠部２４ｖにおいてｒピクセル分、左側の横枠部２４ｖにおいてｌピクセル分、それぞれ表示が圧縮される。これが第２実施例で適用される「枠補正」である。
【０１０１】
スレーブ側表示装置１４においてこのような枠補正が設定されているかどうかは、たとえば通信ケーブル１６を介してマスター側表示装置１２が受信してマルチ画面表示器データ５４ｂとして記憶する構成情報の中に、たとえばフラグ（枠補正フラグ）の形式で含まれていて、それを図６のステップＳ１で読み取ったとき、図４に示すＲＡＭのデータ記憶領域５４に記憶される。
【０１０２】
したがって、第２実施例においては、マスター側表示装置１２のＣＰＵ２６（図２）は、図１３のステップＳ３１において、その枠補正フラグをチェックして、マルチ画面表示器１８においてこのような枠補正が設定されているかどうかを判断する。なお、図１３において、図６実施例と同じステップには、同じステップ番号が付けられている。
【０１０３】
上で説明したように、ステップＳ５では、タッチ画面表示器２０のアスペクト比とマルチ画面表示器１８のアスペクト比が同じであるときの横境界線および縦境界線の表示位置を計算する。そして、そのステップＳ５に続くステップＳ３１で枠補正が設定されていると判断したとき、ＣＰＵ２６は次のステップＳ３３において、数７および数８で、横境界線６４ｈおよび縦境界線６４ｖの太さを計算する。
【０１０４】
第１実施例では、横境界線６４ｈおよび縦境界線６４ｖの太さは、たとえば１ピクセルであり、同じ太さであった。しかしながら、マルチ画面表示器１８の側で上述のような枠補正をしている場合、横境界線６４ｈおよび縦境界線６４ｖの太さは、枠部の太さを考慮して決められるべきであり、タッチ画面表示器２０およびマルチ画面表示器１８のアスペクト比が同じであるときには、数７および数８を採用する。
【０１０５】
［数７］
（ｔ＋ｂ）×（Ｂ／Ｄ）
【０１０６】
［数８］
（ｌ＋ｒ）×（Ａ／Ｃ）
数７は、横境界線６４ｈの太さを計算する。図１２（Ａ）で示した横枠部２４ｈの太さｔおよびｂの和に、タッチ画面表示器２０の横方向画素数Ｂとマルチ画面表示器１８の横方向総画素数Ｄとの比率を掛けた値を、横境界線６４ｈの太さとして計算する。つまり、横枠部の合計太さ（上側太さｔ＋下側太さｂ）に画面サイズの縦方向の比率を掛けることによって、タッチ画面表示器２０上で表示すべき横境界線６４ｈの太さを決定する。
【０１０７】
数８は、図１２（Ａ）で示した縦枠部２４ｖの太さｌおよびｒの和に、タッチ画面表示器２０の縦方向画素数Ａとマルチ画面表示器１８の縦方向総画素数Ｃとの比率を掛けた値を、縦境界線６４ｖの太さとして計算する。つまり、縦枠部の合計太さ（左側太さｌ＋右側太さｒ）に画面サイズの横方向の比率を掛けることによって、タッチ画面表示器２０上で表示すべき縦境界線６４ｖの太さを決定する。
【０１０８】
たとえば、図１２（Ａ）における枠部の太さｔおよびｂが３ピクセル、ｌおよびｒが５ピクセルだとすると、図７の場合の横境界線６４ｈの太さは、（３＋３）×１９２０／５７６０＝２ピクセルとなる。同じ条件で計算すると、図７の縦境界線６４ｖの太さは、（５＋５）×１０８０／３２４０≒３ピクセル（四捨五入）となる。
【０１０９】
そして、ステップＳ３５では、ステップＳ５で計算した横境界線６４ｈおよび縦境界線６４ｖの表示位置とともに、ステップＳ３３で計算した横境界線６４ｈおよび縦境界線６４ｖの太さのデータを、たとえば図４に示すデータ記憶領域５４に境界線位置データ５４ｃとして記憶する。
【０１１０】
ステップＳ３１で“ＮＯ”の場合には、第１実施例と同じように、ステップＳ５で計算した横境界線６４ｈおよび縦境界線６４ｖの表示位置をステップＳ１１で境界線位置データ５４ｃとして記憶する。
【０１１１】
ステップＳ９では、タッチ画面表示器２０のアスペクト比がマルチ画面表示器１８のアスペクト比より大きいときの横境界線および縦境界線の表示位置を計算する。そして、そのステップＳ９に続くステップＳ３７で枠補正が設定されているかどうか判断する。枠補正が設定されていると判断したとき、ＣＰＵ２６は次のステップＳ３９において、数９および数１０で、横境界線６４ｈおよび縦境界線６４ｖの太さを計算する。
【０１１２】
［数９］
（ｔ＋ｂ）×（Ａ／Ｃ）
【０１１３】
［数１０］
（ｌ＋ｒ）×（Ａ／Ｃ）
タッチ画面表示器２０のアスペクト比がマルチ画面表示器１８のアスペクト比より大きいとき、図８に示すように、マルチ画面表示器１８ではオブジェクトはレターボックス形式で表示されるので、タッチ画面表示器２０においてはその上側の黒帯６６を有効表示領域より上方に外すように、横境界線６４ｈの位置を計算している。そこで、ステップＳ３９では、タッチ画面表示器２０の縦方向画素数Ａとマルチ画面表示器１８の縦方向総画素数Ｃの比率を共通に用いて、横境界線６４ｈおよび縦境界線６４ｖの太さを計算する。つまり、スレーブ側表示装置１４のマルチ画面表示器１８で横方向両端（左右端）に黒帯が表示される場合、スレーブ側表示装置１４のマルチ画面表示器１８とマスター側秘話装置１４のタッチ画面表示器２０の表示利用のアスペクト比が一定になるので、数９および数１０において、ともにＡ／Ｃ倍され、タッチ画面表示器２０の境界線６４ｈおよび６５ｖの位置が算出できるのである。
【０１１４】
数９および数１０に従って図８の具体例における横境界線６４ｈおよび縦境界線６４ｖの太さを計算すると、（３＋３）×１０８０／２８８０≒２ピクセル（四捨五入）および（５＋５）×１０８０／２８８０≒４ピクセル（四捨五入）となる。
【０１１５】
そして、ステップＳ４１では、ステップＳ９で計算した横境界線６４ｈおよび縦境界線６４ｖの表示位置とともに、ステップＳ３９で計算した横境界線６４ｈおよび縦境界線６４ｖの太さのデータを、たとえば図４に示すデータ記憶領域５４に境界線位置データ５４ｃとして記憶する。
【０１１６】
ステップＳ３７で“ＮＯ”の場合には、第１実施例と同じように、ステップＳ９で計算した横境界線６４ｈおよび縦境界線６４ｖの表示位置をステップＳ１７で境界線位置データ５４ｃとして記憶する。
【０１１７】
ステップＳ１５では、タッチ画面表示器２０のアスペクト比がマルチ画面表示器１８のアスペクト比より小さいときの横境界線および縦境界線の表示位置を計算する。そして、そのステップＳ１５に続くステップＳ４３で枠補正が設定されているかどうか判断する。枠補正が設定されていると判断したとき、ＣＰＵ２６は次のステップＳ３９において、数９および数１０で、横境界線６４ｈおよび縦境界線６４ｖの太さを計算する。
【０１１８】
［数１１］
（ｔ＋ｂ）×（Ｂ／Ｄ）
【０１１９】
［数１２］
（ｌ＋ｒ）×（Ｂ／Ｄ）
タッチ画面表示器２０のアスペクト比がマルチ画面表示器１８のアスペクト比より大きいとき、図９に示すように、マルチ画面表示器１８ではオブジェクトはピローボックス形式で表示されるので、タッチ画面表示器２０においてはその左側の黒帯７０を有効表示領域より上方に外すように、縦境界線６４ｖの位置を計算している。そこで、ステップＳ４６では、タッチ画面表示器２０の横方向画素数Ｂとマルチ画面表示器１８の横方向総画素数Ｄの比率を共通に用いて、横境界線６４ｈおよび縦境界線６４ｖの太さを計算する。つまり、スレーブ側表示装置１４のマルチ画面表示器１８で横方向両端（左右端）に黒帯が表示される場合、スレーブ側表示装置１４のマルチ画面表示器１８とマスター側秘話装置１４のタッチ画面表示器２０の表示利用のアスペクト比が一定になるので、数１１および数１２において、ともにＢ／Ｄ倍され、タッチ画面表示器２０の境界線６４ｈおよび６５ｖの位置が算出できるのである。
【０１２０】
数１１および数１２に従って図９の具体例における横境界線６４ｈおよび縦境界線６４ｖの太さを計算すると、（３＋３）×１２８０／５７６０≒１ピクセル（四捨五入）および（５＋５）×１２８０／５７６０≒２ピクセル（四捨五入）となる。
【０１２１】
そして、ステップＳ４７では、ステップＳ１５で計算した横境界線６４ｈおよび縦境界線６４ｖの表示位置とともに、ステップＳ４５で計算した横境界線６４ｈおよび縦境界線６４ｖの太さのデータを、たとえば図４に示すデータ記憶領域５４に境界線位置データ５４ｃとして記憶する。
【０１２２】
ステップＳ４３で“ＮＯ”の場合には、第１実施例と同じように、ステップＳ１５で計算した横境界線６４ｈおよび縦境界線６４ｖの表示位置をステップＳ１７で境界線位置データ５４ｃとして記憶する。
【０１２３】
そして、ステップＳ１１、Ｓ１７、Ｓ２１、Ｓ３５、Ｓ４１またはＳ４７に続いて、ステップＳ２３において、対応するステップＳ１１、Ｓ１７、Ｓ２１、Ｓ３５、Ｓ４１またはＳ４７で記憶した境界線位置データ（太さデータを含む場合あり）に従って、タッチ画面表示器２０において横境界線６４ｈおよび縦境界線６４ｖを表示する。
【０１２４】
このように、第２実施例においては、スレーブ側表示装置１４で図１２に示すような「枠補正」を設定しているとき、その枠補正に合わせた太さの境界線をタッチ画面表示器２０上で表示し、ユーザにその境界線を回避した表示オブジェクトの設定を促すことができる。
＜第３実施例＞
上述の第１実施例および第２実施例ではともに、マスター側表示装置１２は、スレーブ側表示装置１４のマルチ画面表示器１８の構成情報のデータを、無線通信または通信ケーブル１６（図１）を用いる有線通信によって、取得した。しかしながら、有線にせよ無線にせよ、スレーブ側表示装置１４の構成情報が通信によって取得できない場合も考えられる。たとえば、スレーブ側表示装置１４が構成情報をマスター側表示装置１２に送信できるように設定されていない場合などである。
【０１２５】
この場合、マスター側表示装置１２のＣＰＵ２６は、図１４に示すようなＧＵＩ５８をタッチ画面表示器２０に表示することによって、マルチ画面表示器１８の構成情報、たとえば表示画面の数ＭＮ、表示画面の解像度ｃｄなど手動的に入力させる。そのために、図示しないが、たとえば図４に示すマスター側表示装置の記憶装置３０内のＲＡＭには、ＧＵＩ表示プログラムやＧＵＩ画像データが予め記憶される。
【０１２６】
そのようなＧＵＩ表示プログラムは、マルチ画面表示器１８の構成情報（画面数Ｍ×Ｎ、画素数（解像度）Ｃ×Ｄ）をスレーブ側表示装置１４から受け取れない場合に、ユーザにそのような構成情報データ（マルチ画面表示器データ）を入力させるための、上述のＧＵＩ５６を表示するためのプログラムである。
【０１２７】
なお、図１４に示すＧＵＩ５６において、入力部５８は、マルチ画面表示器１８の画面数（大きさ）を縦×横、図１の実施例ではＭ×Ｎとして入力するための入力部であり、入力部６０は、１つの表示画面２２の解像度（画素数）を縦×横、図１の実施例ではｃ×ｄとして入力するための入力部である。
【０１２８】
ただし、入力部６２は、先に第２実施例で説明した枠補正がスレーブ側表示装置１４で設定されているかどうかを入力するための入力部である。枠補正がスレーブ側表示装置１４において設定されているとき入力部６２にマークが入力される。
【０１２９】
図１に示す実施例のマルチ画面表示システム１０の第３実施例においては、マスター側表示装置１２のＣＰＵ２６は、最初のステップＳ０１で、マスター側表示装置１２がスレーブ側表示装置１４に接続されているかどうか判断する。たとえば、記憶装置３０内のＲＡＭに設定されている接続フラグ５４ｄ（図４）を参照して、マスター側表示装置１２がスレーブ側表示装置１４と接続されているかどうか判断する。
【０１３０】
マスター側表示装置１２がスレーブ側表示装置１４に接続されている場合には、第１実施例で説明したように、マスター側表示装置１２は通信回路３８および５０によって通信ケーブル１６を通してスレーブ側表示装置１４の構成情報を取得できる（ステップＳ１）。
【０１３１】
マスター側表示装置１２がスレーブ側表示装置１４に接続されていない場合には、通信によってスレーブ側表示装置１４の構成情報のデータを取得することはできないので、ＣＰＵ２６は、ステップＳ０２において、図１４に示すＧＵＩ５６をタッチ画面表示器２０に表示する。
【０１３２】
したがって、ユーザは、ＧＵＩ５６の各入力部５８および６０（必要な場合６２にも）に必要な情報を入力する。実施例であれば、入力部５８にＮ×Ｍを入力し、入力部６０にｃ×ｄを入力する。したがって、マスター側表示装置１２がスレーブ側表示装置１４に接続されていない場合であっても、マスター側表示装置１２はステップＳ１で、マルチ画面表示器１８の構成情報のデータを取得することができる。
【０１３３】
ステップＳ１以降については、図６または図１３に従った動作が実行され得るので、ここでは繰り返しの説明はしない。
＜第４実施例＞
上述の第１‐第３実施例ではいずれも、タッチ画面表示器２０上に境界線６４ｈおよび６４ｖを表示すべき位置（必要に応じて、太さも）は、マスター側表示装置１２のＣＰＵ２６が計算によって求めた。つまり、第１‐第３実施例では、計算手段（ステップＳ５、Ｓ９、Ｓ１５）で計算した境界線表示位置が指示する位置に横境界線６４ｈおよび縦境界線６４ｖを表示した。
【０１３４】
しかしながら、もし、そのとき使用するマスター側表示装置１２のタッチ画面表示器２０およびスレーブ側表示装置１４のマルチ画面表示器１８の仕様が既知のものの１つであるなら、境界線６４ｈおよび６４ｖを表示すべき位置（必要に応じて、太さも）は、予め設定しておいたテーブルから選択して設定することも可能である。
【０１３５】
たとえば、図１６に示すテーブル６８においては、特定のタッチ画面表示器２０に対してスレーブ側表示器として利用可能なマルチ画面表示器１８（図１）の型式番号、実施例ではＮｏ.１、Ｎｏ．２、Ｎｏ．３、Ｎｏ.４、…が左の列に示される。この型式は、構成がそれぞれ異なるマルチ画面表示器を特定する製品番号などである。
【０１３６】
一例として、Ｎｏ.1は、たとえば図７に示すマルチ画面表示器１８のような構成を持つマルチ画面表示器であり、Ｎｏ.２は、同じ図７に示すマルチ画面表示器１８であるが枠補正の設定がされた構成を持つマルチ画面表示器であり、Ｎｏ.３は、たとえば図８に示すマルチ画面表示器１８のような構成を持つマルチ画面表示器であり、Ｎｏ.４は、同じ図８に示すマルチ画面表示器１８であるが枠補正の設定がされた構成を持つマルチ画面表示器であるとする。そして、マスター側表示器すなわちたちタッチ画面表示器２０はたとえば図７のような構成の表示器を想定する。
【０１３７】
この場合、右側の列の境界線位置データとして、Ｎｏ.１のマルチ画面表示器に対しては上記数１および数２で計算した表示位置６４ｈ１（１，２，…）および６４ｖ１（１，２，…）を設定すればよい。ただし、枠補正がないので、境界線の太さはたとえば１ピクセルとして設定しておく。Ｎｏ.２のマルチ画面表示器に対しては上記数１よび数２で計算した表示位置６４ｈ２（１，２，…）および６４ｖ２（１，２，…）と数７および数８で計算した境界線の太さを設定しておけばよい。Ｎｏ.３のマルチ画面表示器に対しては上記数３および数４で計算した表示位置６４ｈ３（１，２，…）および６４ｖ３（１，２，…）および１ピクセルの太さを設定する。Ｎｏ.４のマルチ画面表示器に対しては上記数３よび数４で計算した表示位置６４ｈ４（１，２，…）および６４ｖ４（１，２，…）と数９および数１０で計算した境界線の太さを設定しておけばよい。
【０１３８】
そして、このようなテーブル６８をたとえば図４に示すＲＡＭのデータ記憶領域５４に記憶しておき、たとえば図１４に示すようなＧＵＩとしてタッチ画面表示器２０に表示して、ユーザにどれかを選択させる。応じて、選択したスレーブ側表示器の型式番号が示す境界線位置データをテーブル６８から読み出せば、そのとき選択したスレーブ側表示器に適合する位置および太さの横境界線および縦境界線をタッチ画面表示器２０に表示させることができる。
【０１３９】
さらに、マスター側表示装置１２とスレーブ側表示装置１４が常設されたものである場合には、そのようなマスター側表示装置１２にはスレーブ側表示装置１４の構成情報に応じた境界線６４ｈおよび６４ｖを固定的に表示するように設定しておけばよい。
【０１４０】
第４実施例によれば、マスター側表示装置１２において境界線６４ｈおよび６４ｖの表示位置をその都度計算しなくてもよい。そして、第１‐第３実施例では計算手段が表示位置指示手段を構成するのに対し、第４実施例では、ＲＡＭに予め記憶している位置データ（テーブル６８）が表示位置指示手段として機能する。
【０１４１】
なお、図１に示すマルチ画面表示システム１０では、マスター側表示器とマスター側制御装置とを一体化した、たとえばタブレット端末や電子黒板などをマスター側表示装置１２として利用した。しかしながら、たとえば図１７に示すように、マスター側表示器とマスター側制御装置は別々に構成されてもよい。
【０１４２】
図１７の実施例のマルチ画面表示システム１０において、マスター側制御装置としてコンピュータ１２ａが利用される。このコンピュータ１２ａは、たとえば図２においてタッチ画面表示器２０を除きかつ必要に応じてキーボードやマウスなどの入力装置（図示せず）を設けた構成のコンピュータである。したがって、このコンピュータ１２ａは、上で説明したマスター側表示装置１２のＣＰＵ２６などと同様に動作し、表示データを通信ケーブル１７を通してマスター側表示器すなわちタッチ画面表示器２０に供給するとともに、同じ表示データを通信ケーブル１６を介してスレーブ側表示装置１４に供給する。したがって、この実施例においても、タッチ画面表示器２０（マスター側表示器）とマルチ画面表示器１８（スレーブ側表示器）が同じ表示データに基づいて同じオブジェクトを表示する。
【０１４３】
図１７の実施例では、マスター側表示器とマスター側制御装置が別々に構成されている点を除き、マスター側制御装置であるコンピュータ１２ａによって先に説明した第１ないし第４実施例と同様の動作を行う。したがって、ここでは繰り返しの説明は省略する。
【０１４４】
なお、上述の実施例ではいずれも、マスター側表示器としてタッチ画面表示器２０を用いた。しかしながら、マスター側表示器にタッチ画面機能が付与されていなくてもよい。必要な場合には、他の入力手段を設ければよい。
【０１４５】
また、上述の実施例で挙げた具体的な数値、画面構成等は一例であり、実際の製品に応じて適宜変更することが可能である。
【０１４６】
さらに、上述の実施例で示したフロー図の各ステップは、同じ結果が得られるのであれば、処理される順番は適宜変更することが可能である。
【符号の説明】
【０１４７】
１０  …マルチ画面表示システム
１２  …マスター側表示装置
１４  …スレーブ側表示装置
１６  …通信ケーブル
１８  …マルチ画面表示器（スレーブ側表示器）
２０  …タッチ画面表示器（マスター側表示器）
２２  …表示画面
２４ｈ  …横枠部
２４ｖ  …縦枠部
２６、４０  …ＣＰＵ
３８、５０  …通信回路
５８  …ＧＵＩ
６４ｈ  …横境界線
６４ｖ  …縦境界線
６６  …テーブル
【図１】
0006618739.tif 000002
【図２】
0006618739.tif 000003
【図３】
0006618739.tif 000004
【図４】
0006618739.tif 000005
【図５】
0006618739.tif 000006
【図６】
0006618739.tif 000007
【図７】
0006618739.tif 000008
【図８】
0006618739.tif 000009
【図９】
0006618739.tif 000010
【図１０】
0006618739.tif 000011
【図１１】
0006618739.tif 000012
【図１２】
0006618739.tif 000013
【図１３】
0006618739.tif 000014
【図１４】
0006618739.tif 000015
【図１５】
0006618739.tif 000016
【図１６】
0006618739.tif 000017
【図１７】
0006618739.tif 000018